【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
カードの挿入口が形成され、前記カードに接続する接続端子が埋設された樹脂製のハウジングと、
前記カードの挿入方向に、前記カードと共に前記ハウジング内をスライドするスライド部材と、
前記カードの排出方向に、前記スライド部材を付勢する排出バネと、
前記排出バネの付勢力に抗して、前記ハウジングに対して前記スライド部材をロック位置にロックするロック機構とを備え、
前記ハウジングの底壁には、前記スライド部材がスライドするスライド領域に金属部材が埋設されたことを特徴とするカード用コネクタ。
【請求項２】
前記ハウジングの底壁の厚みよりも前記金属部材の厚みを薄く形成し、前記カードが挿入される高さよりも前記スライド領域を低い位置に配置したことを特徴とする請求項１に記載のカード用コネクタ。
【請求項３】
前記ハウジングの底壁に、前記スライド部材の挿入方向への移動をガイドするガイド壁が形成されており、
前記ガイド壁は、前記ハウジングの底壁の厚みと前記金属部材の厚みの差を利用して形成されていることを特徴とする請求項２に記載のカード用コネクタ。
【請求項４】
前記金属部材は、折り曲げられた屈曲部を有し、
前記金属部材の屈曲部は、前記ガイド壁内に埋設されていることを特徴とする請求項３に記載のカード用コネクタ。
【請求項５】
前記金属部材の屈曲部は、複数の屈曲部であることを特徴とする請求項４に記載のカード用コネクタ。
【請求項６】
前記ハウジングには、前記スライド領域を形成する側壁及びガイド壁が設けられ、
前記金属部材は、前記側壁及び／または前記ガイド壁内に埋設されていることを特徴とする請求項１または請求項２に記載のカード用コネクタ。
【請求項７】
前記金属部材は、折り曲げられた屈曲部を有し、
前記金属部材の屈曲部は、前記側壁及び／または前記ガイド壁内に埋設されていることを特徴とする請求項６に記載のカード用コネクタ。
【請求項８】
前記金属部材の屈曲部は、複数の屈曲部であることを特徴とする請求項７に記載のカード用コネクタ。
【請求項９】
前記金属部材は、グランド接続部を有することを特徴とする請求項１から請求項５のいずれかに記載のカード用コネクタ。
【請求項１０】
前記ハウジングの底壁には、前記接続端子と前記挿入口との間の領域を通って前記金属部材のグランド接続部に延びる延長部が埋設されたことを特徴とする請求項６に記載のカード用コネクタ。
【請求項１１】
前記延長部は、前記ハウジングの挿入口側で半田付けされる半田付け部を有することを特徴とする請求項７に記載のカード用コネクタ。
【請求項１２】
前記延長部は、前記ハウジングの挿入口側で前記挿入口から挿入されるカードに接触する接触子を有することを特徴とする請求項１０または請求項１１に記載のカード用コネクタ。
【請求項１３】
前記ハウジングには、挿入方向に向かって、前記延長部と、前記接続端子と、前記カードの装着を検出するスイッチとが配置され、前記延長部、前記接続端子、および前記スイッチは、樹脂により区分されたことを特徴とする請求項１０から請求項１２のいずれかに記載のカード用コネクタ。
【請求項１４】
前記金属部材は、前記ハウジングの底壁に形成された開口内に露出させて配置されることを特徴とする請求項１から請求項３のいずれかに記載のカード用コネクタ。
【請求項１５】
前記金属部材は、前記ハウジングの開口の周囲に埋設されて該開口の周囲を補強する補強部を有することを特徴とする請求項１４に記載のカード用コネクタ。
【請求項１６】
前記補強部は、前記金属部材の端部から折り曲げられた屈曲部からなることを特徴とする請求項１５に記載のカード用コネクタ。
【請求項１７】
前記ロック機構は、前記スライド部材または前記ハウジングに形成されたハートカム溝と、前記ハートカム溝を摺動するラッチピンとを有し、前記ハートカム溝と前記ラッチピンとの摺動位置に応じて前記スライド部材のロックおよびロック解除を切り換えるプッシュ−プッシュ式の排出構造を有することを特徴とする請求項１から請求項１６のいずれかに記載のカード用コネクタ。
【手続補正２】
【補正対象書類名】明細書
【補正対象項目名】０００７
【補正方法】変更
【補正の内容】
【０００７】
本発明のカード用コネクタは、カードの挿入口が形成され、前記カードに接続する接続端子が埋設された樹脂製のハウジングと、前記カードの挿入方向に、前記カードと共に前記ハウジング内をスライドするスライド部材と、前記カードの排出方向に、前記スライド部材を付勢する排出バネと、前記排出バネの付勢力に抗して、前記ハウジングに対して前記スライド部材をロック位置にロックするロック機構とを備え、前記ハウジングの底壁には、前記スライド部材がスライドするスライド領域に金属部材が埋設されたことを特徴とする。
また本発明は、上記カード用コネクタにおいて、前記ハウジングの底壁の厚みよりも前記金属部材の厚みを薄く形成し、前記カードが挿入される高さよりも前記スライド領域を低い位置に配置している。
また本発明は、上記カード用コネクタにおいて、前記ハウジングの底壁に、前記スライド部材の挿入方向への移動をガイドするガイド壁が形成されており、前記ガイド壁は、前記ハウジングの底壁の厚みと前記金属部材の厚みの差を利用して形成されている。
また本発明は、上記カード用コネクタにおいて、前記金属部材は、折り曲げられた屈曲部を有し、前記金属部材の屈曲部は、前記ガイド壁内に埋設されている。
また本発明は、上記カード用コネクタにおいて、前記ハウジングには、前記スライド領域を形成する側壁及びガイド壁が設けられ、前記金属部材は、前記側壁及び／または前記ガイド壁内に埋設されている。
また本発明は、上記カード用コネクタにおいて、前記金属部材は、折り曲げられた屈曲部を有し、前記金属部材の屈曲部は、前記側壁及び／または前記ガイド壁内に埋設されている。
また本発明は、上記カード用コネクタにおいて、前記金属部材の屈曲部は、複数の屈曲部である。
また本発明は、上記カード用コネクタにおいて、前記金属部材は、前記ハウジングの底壁に形成された開口内に露出させて配置される。
また本発明は、上記カード用コネクタにおいて、前記金属部材は、前記ハウジングの開口の周囲に埋設されて該開口の周囲を補強する補強部を有する。
また本発明は、上記カード用コネクタにおいて、前記補強部は、前記金属部材の端部から折り曲げられた屈曲部からなる。
【手続補正３】
【補正対象書類名】明細書
【補正対象項目名】０００８
【補正方法】変更
【補正の内容】
【０００８】
この構成によれば、樹脂製のハウジングの底壁に、接続端子が埋設されると共に、部分的に金属部材が埋設されるため、ハウジングを薄型化した場合であっても、接続端子を別体にすることなく、ハウジングの強度を高めることができる。したがって、部品点数を増加しないため、組立を単純化して製造コストを低減することができる。また、スライド部材やロック機構によってカード用コネクタ全体の厚み方向の寸法が規定される場合には、スライド部材のスライド領域に金属部材が埋設されるため、薄型の金属部材を使用することにより強度を確保した状態でカード用コネクタを薄型化することができる。さらに、スライド部材が排出バネにより、ハウジングの底壁側に押し下げられつつ排出方向に付勢される場合には、スライド部材の押し下げを金属部材で受けるため、リフロー時の変形を防止することができる。
【手続補正４】
【補正対象書類名】明細書
【補正対象項目名】００１１
【補正方法】変更
【補正の内容】
【００１１】
また本発明は、上記カード用コネクタにおいて、前記金属部材は、グランド接続部を有することを特徴とする。
【手続補正５】
【補正対象書類名】明細書
【補正対象項目名】００１２
【補正方法】変更
【補正の内容】
【００１２】
この構成によれば、スライドと金属部材との摺接により発生する静電気をグランドに逃がすことができる。また、付勢バネと金属部材とが接触する場合には、付勢バネで発生する静電気を逃がすことができる。
【手続補正６】
【補正対象書類名】明細書
【補正対象項目名】００１３
【補正方法】変更
【補正の内容】
【００１３】
また本発明は、上記カード用コネクタにおいて、前記ハウジングの底壁には、前記接続端子と前記挿入口との間の領域を通って前記金属部材のグランド接続部に延びる延長部が埋設されたことを特徴とする。